(57)【要約】【課題】芯線の誤配列を防止しつつ、芯線の異なる配列順序に対応したケーブルのモジュラープラグを作成する場合に共用することが可能なガイドプレートを備えるモジュラープラグを提供する。【解決手段】複数のガイド孔１６が形成されたガイドプレート１５と、このガイドプレート１５を挿着し、ガイドプレート１５によって整線されたツイストペア線を各ツイストペアを形成する芯線毎に位置決めする芯線挿入部を具備するハウジングと、芯線挿入部に位置決めされた各芯線に接続される端子とを具備し、ガイドプレート１５の複数のガイド孔１６の形成位置およびガイド孔１６が形成された側面の形状を点対称をなすように設定し、ガイド孔１６の配列方向に沿った対をなす側面に異なる芯線の配列順序を示す指標２０．２１を施す。ガイドプレート１５を、ガイド孔１６への入線方向を反転可能にすると共に複数のガイド孔を長手方向の軸線に対して線対称に形成してもよい。【選択図】      図２
2008277076.tif 000002
【特許請求の範囲】
【請求項１】
モジュラージャックに嵌合し、２本の芯線を一組として形成された複数のツイストペア線を結線させるためのモジュラープラグにおいて、
前記複数のツイストペア線を分離挿通させる複数のガイド孔が形成されたガイドプレートと、
前記ガイドプレートを挿着し、このガイドプレートによって整線されたツイストペア線を各ツイストペアを形成する芯線毎に位置決めする芯線挿入部を具備するハウジングと、
前記ハウジングの芯線挿入部に位置決めされた各芯線に接続される端子とを具備し、
前記ガイドプレートは、前記複数のガイド孔の形成位置および前記ガイド孔が形成された側面の形状が点対称をなすように設定され、前記複数のガイド孔の配列方向に沿った対をなす側面に前記芯線の配列順序を示す指標が施されていることを特徴とするモジュラープラグ。
【請求項２】
モジュラージャックに嵌合し、２本の芯線を一組として形成された複数のツイストペア線を結線させるためのモジュラープラグにおいて、
前記複数のツイストペア線を分離挿通させる複数のガイド孔が形成されたガイドプレートと、
前記ガイドプレートを挿着し、このガイドプレートによって整線されたツイストペア線を各ツイストペアを形成する芯線毎に位置決めする芯線挿入部を具備するハウジングと、
前記ハウジングの芯線挿入部に位置決めされた各芯線に接続される端子とを具備し、
前記ガイドプレートは、前記ガイド孔への入線方向を反転可能にすると共に前記複数のガイド孔が当該ガイドプレートの長手方向の軸線に対して線対称に形成され、前記複数のガイド孔の配列方向に沿った対をなす側面にそれぞれの入線方向に対応した前記芯線の配列順序を示す指標が施されていることを特徴とするモジュラープラグ。
【請求項３】
前記対をなす側面に施された前記芯線の配列順序を示す指標は、一方の側面に形成された指標がストレートケーブルの芯線の配列順序を示す指標であり、他方の側面に形成された指標がクロスケーブルの芯線の配列順序を示す指標であることを特徴とする請求項１又は２記載のモジュラープラグ。
【請求項４】
前記ガイドプレートには、前記配列順序に対応するケーブルの種類と前記芯線の挿入方向とを示す指標とが更に施されていることを特徴とする請求項１又は２
記載のモジュラープラグ。
【発明の詳細な説明】
【技術分野】
【０００１】
本発明は、モジュラージャックに嵌合するモジュラープラグに係り、特に、２本の芯線を一組として形成された複数のツイストペア線を分離挿通させる複数のガイド孔が形成されたガイドプレートを使用するモジュラープラグに関する。
【背景技術】
【０００２】
モジュラープラグは、電話設備やＬＡＮの通信回線等の接続分離を行うためにモジュラージャックに嵌合するコネクタ素子として用いられ、２本の芯線を一組として形成された複数のツイストペア線の先端部の撚りを解き、この先端部を所定の順序に整列させつつハウジングに挿入し、このツイストペア線の各芯線に端子を圧接接続させるようにしている。
【０００３】
ハウジングには、後端のケーブル挿入口から前方へ向かって延設されてモジュラーケーブルのケーブル被覆を備えた部分を挿入させるケーブル挿入部と、このケーブル挿入部に続いてハウジングのさらに先端側へ向かって延設されてモジュラーケーブルの各芯線を個々に挿入させる複数の芯線挿入部とが形成されている。ハウジングによっては、各芯線挿入部に芯線を案内する芯線ガイドを具備するものもあるが、モジュラーケーブルは、通常、４条の対をなす８本の芯線をハウジング内に入線するため、入線する際に整列順序がばらばらになりやすい。このため、モジュラープラグの製作においては、芯線を入線し直す等の作業を伴い、非常に時間を要するものであった。
【０００４】
そこで、従来においては、芯線挿入部への入線時の芯線のばらつきをなくし、所望の整列順序を保持したままハウジングへの入線を可能とするガイドプレートが使用されている（例えば、特許文献１及び２参照）。このガイドプレートは、入線する芯線の数に合わせた８個のガイド孔を有し、撚りを解いたツイストペア線の先端部を所定の順序で個別にガイド孔に挿通し、その状態を保持したままハウジングのケーブル挿入口から挿入するもので、このガイドプレートの挿入により、モジュラーケーブルの被覆部分をケーブル挿入部に配置すると共に、ガイドプレートを挿通した各芯線の先端部を芯線挿入部に押入するようにしている。
【特許文献１】特開平１０−１３４９０３号公報
【特許文献２】特表平１０−５０６７５１号公報
【発明の開示】
【発明が解決しようとする課題】
【０００５】
しかしながら、上述したガイドプレートにおいては、スムーズに芯線の先端部を芯線挿入部へ導く機能を有するが、ガイド孔へ挿通させる芯線の配列順序を誤るとケーブルとして機能しなくなる恐れがある。また、芯線の配列順序が異なるケーブル（例えば、ストレートケーブルとクロスケーブル）のモジュラープラグを作成する場合にガイドプレートを共用できるようにすることが好ましい。
【０００６】
特に、上述したガイドプレートにおいては、芯線を入線する方向が決まっているため、この方向を誤ると入線しにくくなる恐れがある。即ち、上述の構成においては、ガイドプレートの入線側が大きく開口しており（前者の構成においては、整列部材１３０が図１や図４から明らかなように断面コ字状となっており、また、後者の構成においても、操作バー３４が第１２図から明らかなように、入線側の開口部分が先端の開口部分よりも大きい形状をなしており）、入線方向を間違えると芯線をガイドする機能が損なわれ、スムーズに芯線の先端部を芯線挿入部に導くことができなくなる恐れがある。
【０００７】
本発明は、かかる事情に鑑みてなされたものであり、芯線の誤配列を防止しつつ芯線を芯線挿入部に挿入しやすくすると共に、芯線の異なる配列順序に対応したケーブルを作成する場合に共用することが可能なガイドプレートを備えたモジュラープラグを提供することを主たる課題としている。
【課題を解決するための手段】
【０００８】
上記課題を達成するために、この発明に係るモジュラープラグは、モジュラージャックに嵌合し、２本の芯線を一組として形成された複数のツイストペア線を結線させるためのもので、前記複数のツイストペア線を分離挿通させる複数のガイド孔が形成されたガイドプレートと、前記ガイドプレートを挿着し、このガイドプレートによって整線されたツイストペア線を各ツイストペアを形成する芯線毎に位置決めする芯線挿入部を具備するハウジングと、前記ハウジングに位置決めされた各芯線に接続される端子とを具備し、前記ガイドプレートは、前記複数のガイド孔の形成位置および前記ガイド孔が形成された側面の形状のそれぞれが点対称をなすように設定され、前記複数のガイド孔の配列方向に沿った対をなす側面のそれぞれに前記芯線の配列順序を示す指標が施されていることを特徴としている。
【０００９】
したがって、複数のガイド孔の形成位置、及び、ガイド孔が形成された側面の形状が点対称をなすように設定され、ガイド孔の配列方向に沿った対をなす側面のそれぞれに芯線の配列順序を示す指標が施されているので、参照すべき指標を選択した上でその指標を見ながら芯線をガイド孔に挿通させれば所定の配列順序に整線されることができ、配列順序を誤る恐れがなくなる。また、参照すべき指標を変えることで芯線の配列順序の異なるモジュラープラグを作成することが可能となる。
【００１０】
また、上記課題を達成するために、この発明に係るモジュラープラグは、モジュラージャックに嵌合し、２本の芯線を一組として形成された複数のツイストペア線を結線させるためのもので、前記複数のツイストペア線を分離挿通させる複数のガイド孔が形成されたガイドプレートと、前記ガイドプレートを挿着し、このガイドプレートによって整線されたツイストペア線を各ツイストペアを形成する芯線毎に位置決めする芯線挿入部を具備するハウジングと、前記ハウジングに位置決めされた各芯線に接続される端子とを具備し、前記ガイドプレートは、前記ガイド孔への入線方向を反転可能にすると共に前記複数のガイド孔が当該ガイドプレートの長手方向の軸線に対して線対称に形成され、それぞれの入線方向に対応した前記芯線の配列順序を示す指標が前記複数のガイド孔の配列方向に沿った対をなす側面に施されていることを特徴としている。
【００１１】
したがって、ガイド孔への入線方向を反転可能とし、しかもそれぞれの入線方向に対応した芯線の配列順序を示す指標を備えているので、ガイドプレートを前後に反転させるなどして参照すべき指標を選択した上でそれぞれに対応する入線方向を決定し、この入線方向に対応した芯線の配列順序を示す指標を参照しながら、芯線をガイド孔に挿通させれば所定の配列順序に整線されるので、配列順序を誤る恐れがなくなり、また、入線方向を変えることで芯線の配列順序の異なるモジュラープラグを作成することが可能となる。
【００１２】
ここで、前記対をなす側面に施された前記芯線の配列順序を示す指標は、一方の側面に形成された指標をストレートケーブルの芯線の配列順序を示す指標とし、他方の側面に形成された指標をクロスケーブルの芯線の配列順序を示す指標としてもよい。
また、ガイドプレートには、前記配列順序に対応するケーブルの種類と前記芯線の挿入方向とを示す指標とを更に施すようにしてもよい。
【発明の効果】
【００１３】
以上述べたように、本発明によれば、モジュラープラグに用いられる芯線を分離整線するためのガイドプレートを、複数のガイド孔の形成位置およびガイド孔が形成された側面の形状を点対称をなすように設定し、複数のガイド孔の配列方向に沿った対をなす側面のそれぞれに芯線の配列順序を示す指標を施したので、指標を選択し、その指標を見ながら芯線をガイド孔に挿通させれば芯線の誤配列を防止することが可能となり、また、参照すべき指標を変えることで芯線の配列順序の異なるモジュラープラグを作成することが可能となるので、芯線の異なる配列順序に対応したケーブルのモジュラープラグを作成する場合に同じガイドプレートを共用することが可能となる。
【００１４】
また、モジュラープラグに用いられる芯線を分離整線するためのガイドプレートを、ガイド孔への入線方向を反転可能にすると共に、複数のガイド孔の配列方向に沿った対をなす側面のそれぞれに入線方向に対応した芯線の配列順序を示す指標を施したので、指標を選択して入線方向を決定し、その指標を見ながら芯線をガイド孔に挿通させれば芯線の誤配列を防止することが可能となり、また、ガイドプレートを前後に反転させることで芯線の配列順序の異なるモジュラープラグを作成することが可能となるので、芯線の異なる配列順序に対応したケーブルのモジュラープラグを作成する場合に同じガイドプレートを共用することが可能となる。
【００１５】
さらに、ガイドプレートに、配列順序に対応するケーブルの種類と芯線の挿入方向とを示す指標を更に設けるようにすれば、作成したいケーブルの種類に応じて、芯線の配列順序を示す指標を容易に選択することができ、また、入線方向を誤る恐れもなくなり、芯線を指標通りの配列順序で指標通りの方向へ挿入すれば、所望のモジュラープラグを容易に作成することが可能となる。
【発明を実施するための最良の形態】
【００１６】
以下、本発明の最良の実施形態を添付図面を参照しながら説明する。尚、説明の便宜上、図中の上側を図示された各部材の上側とし、図中の下側を図示された各部材の下側とする。
【００１７】
図１において、モジュラープラグ１は、合成樹脂製のハウジング２を有し、このハウジング２は、後端にモジュラーケーブル３を挿入するケーブル挿入口４が形成されている。また、ハウジング２には、ケーブル挿入口４からハウジング前方へ向かって延設され、モジュラーケーブル３のケーブル被覆５の部分を挿入するためのケーブル挿入部６と、このケーブル挿入部６の前端から更にハウジング２の前方に向かって延設され、モジュラーケーブル３の各芯線７を個々に挿入するための複数の芯線挿入部８とを有している。
【００１８】
これら複数の芯線挿入部８は、互いに平行に延設され、また隣り合う芯線挿入部８を上下に互い違いにずらして配置することで２段で形成されており、ケーブル挿入部６から芯線挿入部８へ移行する部分には、芯線７を芯線挿入部８へ案内するための芯線ガイド９が設けられている。この芯線ガイド９は、芯線７の挿入方向に延設されると共にガイド孔８の上方又は下方において上下方向に突出するよう形成されている。
【００１９】
また、ハウジング２には、複数の刃状端子１０を圧入可能に保持する端子保持部１１を有している。この端子保持部１１は、個々の刃状端子１０の両側面を挟持しており、圧入工具を使用することで複数の刃状端子１０を圧入できるようにしている。この刃状端子１０を圧入すると、その先端が芯線挿入部８に挿入された芯線７に食い込み、対応する芯線７と刃状端子１０とが電気的に接続されるようになっている。
【００２０】
尚、１２は、先端中央部に形成されて、モジュラープラグ１を嵌合させるモジュラージャックの対応する凹部に嵌合する突部であり、この突部１２には、後方へ延設されてモジュラージャックの対応する係止部に係合させる一対の係止突起１３と、モジュラープラグ１をモジュラージャックから抜去する際に前記係止突起１３の契合を外すためのレバー部１４とが一体に形成されている。また、ハウジング２のケーブル挿入部６には、押し上げることでモジュラーケーブル３のケーブル被覆５に食い込ませてモジュラーケーブル３をハウジング２に固定するケーブル係止片１３が形成されている。
【００２１】
このように構成されたハウジング２にモジュラーケーブル３の各芯線７は、ガイドプレート１５を介して芯線挿入部８に挿入されている。
このガイドプレート１５は、図２に示されるように、左右、前後、及び上下に対称な例えば直方体形状に形成され、４条の対をなす芯線７を個々に分離して整列、保持するためのもので、各芯線７を挿通させる８個のガイド孔１６を有している．これらのガイド孔１６は、互いに平行に延設されると共に、隣り合うガイド孔を上下に互い違いにずらして配置することで２段に形成されており、前記芯線挿入部８と整合した位置、即ち、ガイド孔１６を挿通した芯線７がそのまま対応する芯線挿入部８へ導かれる位置に形成されている。
【００２２】
また、ガイドプレート１５に形成された複数のガイド孔１６は点対称をなす位置関係に形成され（複数のガイド孔１６の形成位置は点対称をなすように設定され）、ガイド孔１６が形成された側面の形状も点対称をなすように形成されている。したがって、ガイドプレート１５は、正対した状態において上下を逆にするように回転させてもハウジング２に挿着でき、また、ガイド孔１６の位置と芯線挿入部８との位置とは整合するようになっている。尚、それぞれのガイド孔１６は、一方の開口端から他方の開口端にかけて径が等しく形成されており、芯線７の外径よりも僅かに大きい径に形成されている。
【００２３】
そして、複数のガイド孔１６の配列方向に沿った対をなす側面（図中の上面および下面）には、芯線７の配列順序を示す異なる指標２０，２１が付されている。この例においては、一方の側面に、図２（ａ）に示されるように、ストレートケーブル用の芯線の配列順序を示す指標２０が施され、他方の側面に、図２（ｂ）に示されるように、クロスケーブル用の芯線７の配列順序を示す指標２１が施されている。
【００２４】
具体的には、ストレートケーブルのモジュラープラグを作成するために、ガイドプレートを図２（ａ）のように正対させて配置した場合において、そのガイド孔１６に挿通させる芯線７の配列順序を示す指標２０を、ガイドプレート１５の上面となる側面の中央部分に、ガイド孔１６に入線すべき芯線７の配列順序に合わせて各芯線７の対応する色を帯状に付して配列させることで形成している。即ち、ストレートケーブルのモジュラープラグを作成する指標２０は、図２（ａ）の上面となる側面に、入線方向右から、「橙・白」、「橙」、「緑・白」、「青」、「青・白」、「緑」、「茶・白」、「茶」の順番で着色帯を付すことで（帯状に色を付すことで）形成されている。
【００２５】
また、クロスケーブルのモジュラープラグを作成するために、ガイドプレート１５を上下逆にして芯線７の入線側を図２（ｂ）のように正対させて配置した場合において、芯線７の配列順序を示す指標２１を、ガイドプレート１５の上面となる側面（ストレートケーブル用の芯線の配列順序を示す指標２０が付された側面と反対側の側面）の中央部分において、ガイド孔１６に入線すべき芯線の順序に合わせて対応する芯線の色を帯状に付して配列させることで形成している。即ち、クロスケーブルのモジュラープラグを作成する指標２１は、図２（ｂ）の上面となる側面に、入線方向右から、「緑・白」、「緑」、「橙・白」、「青」、「青・白」、「緑」、「茶・白」、「茶」の順番で着色帯を付すことで（帯状に色を付すことで）形成されている。
【００２６】
さらに、芯線７の配列順序を示す指標２０，２１の脇には、配列順序に対応するケーブルの種類と芯線の挿入方向とを示す指標３０，３１が同側面に設けられている。具体的には、ガイドプレート１５をストレートケーブル用として用いるために図２（ａ）のように配置した場合において、配列順序に対応するケーブルの種類と芯線の挿入方向とを示す指標３０は、芯線７を正面から裏面にかけて挿通させることを示す矢印と、その矢印方向への挿入がストレートケーブルを作成するための芯線７の挿入であることを示す、例えば「Ｓ」なる文字とを図中の上面に付された芯線７の配列順序を示す指標２０の隣に設けることで形成する。また、ガイドプレート１５をクロスケーブル用として用いるために図２（ｂ）のように配置した場合において、配列順序に対応するケーブルの種類と芯線の挿入方向とを示す指標３１は、芯線７を正面から裏面にかけて挿通させることを示す矢印と、その矢印方向への挿入がクロスケーブルを作成するための芯線の挿入であることを示す、例えば「Ｘ」なる文字とを図中の上面に付された芯線の配列順序を示す指標２１の隣に設けることで形成する。
【００２７】
この配列順序に対応するケーブルの種類と芯線の挿入方向とを示す指標３０，３１は、シール又は刻印などによる後付であっても、ガイドプレートの成形時に一体に形成されるものであってもよい。
【００２８】
以上の構成において、ストレートケーブル用のモジュラープラグを作成するには、図２（ａ）に示すように、「Ｓ」なる文字が付された側面を上にしてガイドプレート１５を配置し、モジュラーケーブル３の各芯線７の先端部の撚りを解き、この各芯線７の先端部をガイドプレート１５のストレートケーブル用の芯線の配列順序を示す指標２０を見ながら指標の色と芯線の色との順番が一致するようそれぞれの芯線７を対応するガイド孔１６に矢印の方向に挿通させる（図３（ａ））。
【００２９】
そして、この状態を保持しつつ、各芯線７をガイドプレート１５と共にハウジング２のケーブル挿入口４からケーブル挿入部６へ挿入する（図４（ａ））。芯線７と共に挿入されたガイドプレート１５は、ケーブル挿入部６から芯線挿入部８に移行する部分に当接すると、それ以上奥へ挿入されなくなり、その箇所に保持された状態となる（図４（ｂ））。その後、さらにモジュラーケーブル３を挿入させていくと、芯線７のガイドプレート１５からの突出量が増大し、芯線７のみが対応する芯線挿入部８に押入されていき、芯線７の先端が芯線挿入部８の終端に至る（図４ｃ）。これにより、モジュラーケーブル３の被覆部分５がケーブル挿入部６に配置されると共に、ガイドプレート１５を挿通した各芯線の先端部が芯線挿入部８に配置される。その後、ハウジング２の芯線挿入部８に位置決めされた各芯線７に端子保持部１１に保持された刃状端子１０を圧入工具を用いて圧入することで食い込ませ、対応する芯線７と刃状端子１０とを電気的に接続すれば、ストレートケーブル用のモジュラープラグの製作は完了する。
【００３０】
これに対してクロスケーブル用のモジュラープラグを作成するには、ガイドプレート１５を上下逆にして図２（ｂ）に示されるように配置し、モジュラーケーブル３の各芯線７の先端部の撚りを解いた後に、各芯線７の先端部をガイドプレート１５のクロスケーブル用のそれぞれの配列順序を示す指標２１を見ながら指標の色と芯線７の色との順番が一致するよう対応するガイド孔１６に矢印の方向に挿通させる（図３（ｂ））。
【００３１】
その後、図４に示す同様の工程を経て、モジュラーケーブル３の被覆部分５をケーブル挿入部６に配置すると共に、ガイドプレート１５を挿通した各芯線７の先端部を芯線挿入部８に配置し、ハウジング２の芯線挿入部８に位置決めされた各芯線７に端子保持部１１に保持された刃状端子１０を圧入工具を用いて圧入し、対応する芯線７と刃状端子１０とを電気的に接続すれば、クロスケーブル用のモジュラープラグの製作は完了する。
【００３２】
したがって、上述の構成よれば、モジュラープラグ１に用いられる各芯線７を分離整線するためのガイドプレート１５において、複数のガイド孔１６の形成位置、及び、ガイド孔１６を形成した側面の形状が点対称をなすように設定され、ガイド孔１６の配列方向に沿った対をなす側面のそれぞれに芯線の異なる配列順序を示す指標２０，２１が施されているので、参照すべき指標を選択した上でその指標を見ながら芯線７をガイド孔１６に挿通させれば選択した配列順序に整線される。このため、配列順序を誤る恐れがなくなり、また、参照すべき指標を変えることで芯線７の配列順序が異なるモジュラープラグ（クロスケーブル用のモジュラープラグとストレートケーブル用のモジュラープラグ）を作成することが可能となり、芯線７の配列順序が異なるモジュラープラグを製作する場合に同じガイドプレート１５を共用することが可能となる。
【００３３】
また、ガイドプレート１５の配列順序を示す指標２０，２１の脇にケーブルの種類と芯線の挿入方向とを示す指標３０，３１を更に設けたので、作成したいケーブルの種類に応じて、芯線の配列順序を示す指標２０，２１を容易に選択することができ、また、配列順序の指標に対応した芯線７の入線方向を誤る恐れもなくなる。
【００３４】
尚、上述の構成においては、芯線７の配列順序を示す指標２０，２１を中央寄りにまとめて施すようにしたが、それぞれのガイド孔１６の真上となる位置に入線すべき各芯線７と同じ色の着色帯を付すことで配列順序の指標を幅広く形成し、ガイド孔１６の配列方向と直交する方向に沿った側面（図中上下方向に沿った側面）に、配列順序に対応するケーブルの種類と芯線の挿入方向とを示す指標３０，３１を設けるようにしてもよい。
【００３５】
また、上述の構成においては、ガイドプレート１５への芯線７の入線方向を同じくして、ガイドプレート１５を上下逆にして用いることで異なる種類のケーブルのモジュラープラグを作成するために利用できるようにしたが、ガイドプレート１５の入線方向を異ならせて（ガイドプレート１５を前後に反転させて）異なる種類のケーブルに対応させるようにしてもよい。
【００３６】
そのようなガイドプレート１５の構成例が図５に示され、以下、この構成例について前記構成例と異なる点を中心に説明する。この図５に示されるガイドプレート１５は、左右、前後、及び上下に対称な例えば直方体形状に形成され、４条の対をなす芯線７を個々に分離して整列、保持する８個のガイド孔１６を有し、これらのガイド孔１６を上下に互い違いにずらして配置することで２段に形成されている点で前記構成例と同様であるが、ガイド孔１６はそれぞれの段ごとに平行に延設され、上段のガイド孔と下段のガイド孔とは、正面から背面にかけて斜めに穿設されており、ガイド孔１６の並設方向及び穿設方向と直交する方向（図中、上下方向）に投影した場合に所定の角度でクロスするよう異なる方向に形成されている。
【００３７】
また、それぞれのガイド孔１６は、これを挿通した芯線７がそのまま芯線挿入部８へ導かれる位置関係に形成されており、ガイドプレート１５の長手方向の軸線（Ａ）に対して線対称に形成されている。したがって、図５（ａ）に示されるガイドプレート１５を、軸線（Ａ）に対して１８０度回転させて図５（ｂ）のようにしても、ガイド孔１６と芯線挿入部８との相対位置は、図５（ａ）と同じになるようになっている。
【００３８】
そして、複数のガイド孔１６の配列方向に沿った対をなす側面（図中の上面および下面）には、芯線７の配列順序を示す異なる指標２０，２１が施されている。この例においては、それぞれのガイド孔の穿設方向に沿って入線すべき芯線７の色が帯状に付されているもので、上段のガイド孔の指標と下段のガイド孔の指標とはクロスするように重ね合わせて付されており、また、ガイド孔１６の並設方向及び穿設方向に対して直交する方向（図中、上下方向）に投影した場合に指標のそれぞれの着色帯はそれぞれの対応するガイド孔と重なるように施されている。
【００３９】
特にこの例においては、一方の側面に、図５（ａ）に示されるように、ストレートケーブル用の芯線の配列順序を示す指標２０が施され、他方の側面に、図５（ｂ）に示されるように、クロスケーブル用の芯線７の配列順序を示す指標２１が施されている。
【００４０】
具体的には、ストレートケーブルのモジュラープラグを作成するために、ガイドプレート１５を図５（ａ）のように正対させて配置した場合において、このガイド孔１６に挿通させる芯線７の配列順序を示す指標２０を、ガイドプレート１５の上面となる側面に、ガイド孔１６に入線すべき芯線７の配列順序に合わせてそれぞれのガイド孔１６に挿入する各芯線７の色の着色帯を対応するガイド孔１６の上方に平行に付すことで形成している。即ち、ストレートケーブルのモジュラープラグを作成する指標２０は、図５（ａ）の上面となる側面に、入線方向右から、クロス状に付した「橙・白」と「橙」の着色帯、クロス状に付した「緑・白」と「青」の着色帯、クロス状に付した「青・白」と「緑」の着色帯、クロス状に付した「茶・白」と「茶」の着色帯を順次並べることで形成されている。
【００４１】
また、クロスケーブルのモジュラープラグを作成するために、ガイドプレート１５を前後に反転させて芯線７の入線側を図５（ｂ）のように正対させて配置した場合において、芯線７の配列順序を示す指標を、ガイドプレート１５の上面となる側面（ストレートケーブル用の芯線の配列順序を示す指標２０が付された側面と反対側の側面）に、ガイド孔１６に入線すべき芯線７の順序に合わせてそれぞれのガイド孔１６に挿入する芯線７の色の着色帯を対応するガイド孔１６の上方に平行に付すことで形成している。即ち、クロスケーブルのモジュラープラグを作成する指標２１は、図５（ｂ）の上面となる側面に、入線方向右から、クロス状に付した「緑・白」と「緑」の着色帯、クロス状に付した「橙・白」と「青」の着色帯、クロス状に付した「青・白」と「橙」の着色帯、クロス状に付した「茶・白」と「茶」の着色帯を順次並べることで形成されている。
【００４２】
さらに、ガイドプレート１５の指標２０，２１が付された側面およびガイド孔１６が開口する側面と直交する側面（図中、左右の上下方向の沿った側面）には、配列順序に対応するケーブルの種類と芯線の挿入方向とを示す指標３０，３１が設けられている。具体的には、ストレートケーブル用に用いる場合であれば、芯線７の入線側を図５（ａ）のように正面に向けて配置した場合において、芯線７を正面から裏面にかけて挿通させるような矢印と、その矢印方向への挿入がストレートケーブルを作成するための芯線の挿入であることを示す指標、例えば「Ｓ」なる文字をガイドプレート１５の左右の上下方向の沿った一方の側面に施す。また、クロスケーブル用に用いる場合であれば、芯線７の入線側を図５（ｂ）のように正面に向けて配置した場合において、芯線７を正面から裏面にかけて挿通させるような矢印と、その矢印方向への挿入がストレートケーブルを作成するための芯線の挿入であることを示す指標、例えば「Ｘ」なる文字をガイドプレート１５の左右の上下方向の沿った他方の側面（ストレートケーブル用のケーブルの種類と芯線の挿入方向とを示す指標３０が付された側面と反対側の側面）に施す。
【００４３】
この配列順序に対応するケーブルの種類と芯線の挿入方向とを示す指標３０，３１は、ガイドプレート１５を図５に示すように配置した場合において、その上下関係を示す指標としても機能する。即ち、芯線７の挿入方向を示す矢印をケーブルの種類を示す指標よりも上方に付記することで、また、ケーブルの種類を表す指標の文字の上下を、図５のようにガイドプレート１５を配置した場合の上下と一致させることで、ガイドプレート１５の上下関係を認識できるようにしている。尚、配列順序に対応するケーブルの種類と芯線の挿入方向とを示す指標３０，３１は、シール又は刻印などによる後付であっても、ガイドプレートの成形時に一体的に形成されるものであってもよい。
【００４４】
以上の構成において、ストレートケーブル用のモジュラープラグを作成するには、図５（ａ）に示されるようにガイドプレート１５を配置してモジュラーケーブルのツイストペア線の各芯線７の先端部の撚りを解き、この各芯線７の先端部をガイドプレート１５の芯線の配列順序を示す指標２０を見ながら、指標の色と芯線７の色とが一致するようそれぞれの芯線７を対応するガイド孔１６に正面から挿通させる（図６（ａ））。
【００４５】
そして、この状態を保持しつつ、各芯線７をガイドプレート１５と共にハウジング２のケーブル挿入口４からケーブル挿入部６へ挿入する（図４（ａ））。芯線７と共に挿入されたガイドプレート１５は、ケーブル挿入部６から芯線挿入部８に移行する部分に当接すると、それ以上奥へ挿入されなくなり、その箇所の保持された状態となる（図４（ｂ））。その後、さらにモジュラーケーブル３を挿入させていくと、芯線７のガイド孔１６からの突出量が増大し、芯線７のみが対応する芯線挿入部８に押入されていき、芯線７の先端が芯線挿入部８の終端に至る（図４（ｃ））。これにより、モジュラーケーブル３の被覆部分５がケーブル挿入部６に配置されると共に、ガイドプレート１５を挿通した各芯線７の先端部が芯線挿入部８に配置される。その後、ハウジング２の芯線挿入部８に位置決めされた各芯線７に端子保持部１１に保持された刃状端子１０を圧入工具を用いて圧入することで食い込ませ、対応する芯線７と刃状端子１０とを電気的に接続すれば、ストレートケーブル用のモジュラープラグの製作は完了する。
【００４６】
これに対してクロスケーブル用のモジュラープラグを作成するには、ガイドプレート１５を長手方向の軸心に対して１８０度回転させて前後を反転させ、図５（ｂ）に示されるように配置する。そして、モジュラーケーブル３のツイストペア線の各芯線７の先端部の撚りを解いた後に、各芯線７の先端部をガイドプレート１の芯線の配列順序を示す指標を見ながら、指標の色と芯線７の色とが一致するようにそれぞれの芯線７を対応するガイド孔１６に正面から挿通させる（図６（ｂ））。その後、図４に示す同様の工程を経て、モジュラーケーブル３の被覆部分５をケーブル挿入部６に配置すると共に、ガイドプレート１５を挿通した各芯線７の先端部を芯線挿入部８に配置し、ハウジング２の芯線挿入部８に位置決めされた各芯線７に端子保持部１１に保持された刃状端子１０を圧入工具を用いて圧入し、対応する芯線７と刃状端子１０とを電気的に接続すれば、クロスケーブル用のモジュラープラグの製作は完了する。
【００４７】
したがって、上述の構成によれば、モジュラープラグに用いられる各芯線７を分離整線するためのガイドプレート１５を、ガイド孔１６への入線方向を反転可能にすると共に、ガイド孔１６の配列方向に沿った対をなす側面にそれぞれの入線方向に対応した芯線の配列順序を示す指標２０，２１を付して構成したので、配列順序を誤る恐れがなくなり、また、ガイドプレート１５への入線方向を変えることで芯線７の配列順序が異なるモジュラープラグ（クロスケーブル用のモジュラープラグとストレートケーブル用のモジュラープラグ）を作成することが可能となり、芯線７の配列順序が異なるモジュラープラグを製作する場合に同じガイドプレート１５を共用することが可能となる。
【００４８】
また、ガイドプレート１５に、配列順序に対応するケーブルの種類と芯線の挿入方向とを示す指標３０，３１を更に設けたので、作成したいケーブルの種類に応じて、芯線の配列順序を示す指標２０，２１を容易に選択することができ、また、配列順序の指標に対応した芯線の入線方向を誤る恐れもなくなる。
【００４９】
尚、上述の構成においては、芯線７の配列順序を示す指標２０，２１をガイド孔１６の配列方向に沿った側面（図中の上面および下面）に施した例を示したが、これに限定されるものではなく、それぞれのガイド孔１６の入線側周縁に入線すべき芯線の色を付して指標を構成するようにしてもよい。
【図面の簡単な説明】
【００５０】
【図１】図１（ａ）は、本発明にかかるモジュラープラグの組み立て後の状態を示す断面図であり、図１（ｂ）は、図１（ａ）に用いられるモジュラープラグのハウジングをＡ−Ａ線から見た図である。
【図２】図２は、本発明にかかるモジュラープラグに用いられるガイドプレートの構成例を示す図であり、図２（ａ）はストレートケーブル用として用いる場合を示し、図２（ｂ）はクロスケーブル用として用いる場合を示す。
【図３】図３（ａ）は、ストレートケーブルを製作するために、ハウジングにモジュラーケーブルの芯線をガイドプレートと共に挿入する直前の状態を示す斜視図であり、図３（ｂ）は、クロスケーブルを製作するために、ハウジングにモジュラーケーブルの芯線をガイドプレートと共に挿入する直前の状態を示す斜視図である。
【図４】図４は、ハウジングにモジュラーケーブルの芯線をガイドプレートと共に挿入する過程を示す断面図であり、図４（ａ）は芯線の先端部をガイドプレートと共にケーブル挿入口から挿入した直後の状態を示す図であり、図４（ｂ）は図４（ａ）の状態からガイドプレートをケーブル挿入部から芯線挿入部への移行部分に当接させた状態を示す図であり、図４（ｃ）は図４（ｂ）の状態から芯線のみを芯線挿入部へ押入した状態を示す図である。
【図５】図５は、本発明にかかるモジュラープラグに用いられる他のガイドプレートの構成例を示す図であり、図５（ａ）はストレートケーブル用として用いる場合を示し、図５（ｂ）はクロスケーブル用として用いる場合を示す。
【図６】図６（ａ）は、ストレートケーブルを製作するために、ハウジングにモジュラーケーブルの芯線をガイドプレートと共に挿入する直前の状態を示す斜視図であり、図６（ｂ）は、クロスケーブルを製作するために、ハウジングにモジュラーケーブルの芯線をガイドプレートと共に挿入する直前の状態を示す斜視図である。
【符号の説明】
【００５１】
１  モジュラープラグ
２  ハウジング
７  芯線
１０  刃状端子
１５  ガイドプレート
１６  ガイド孔
２０，２１  配列順序を示す指標
３０，３１  ケーブルの種類と芯線の挿入方向を示す指標
【図１】
2008277076.tif 000003
【図２】
2008277076.tif 000004
【図３】
2008277076.tif 000005
【図４】
2008277076.tif 000006
【図５】
2008277076.tif 000007
【図６】
2008277076.tif 000008